(57)【要約】【課題】画像閲覧時に簡単な操作で画像データの配信元と通信可能とし、配信元で発信者を容易に特定可能とする。【解決手段】代理店１は、広告主２ａ，２ｂからの画像データＡ，Ｂを携帯電話３ａのユーザ宛のメールに添付して送信する。画像データＡ，Ｂのテキストチャンクには、それぞれ広告主２ａ，２ｂの電話番号が挿入されている。携帯電話３ａでは、例えば、閲覧している画像データＢに対して所定の操作が行なわれると、画像データＢのテキストチャンクから電話番号を抽出し、広告主２ｂに自動的に電話をかける。広告主２ｂには、携帯電話３ａの発信者電話番号が通知されるので、発信者が容易に特定される。また、携帯電話３ａから他の携帯電話３ｂに画像データを転送した場合でも、同様の効果が得られる。【選択図】  図１
2004178485.tif 000002
【特許請求の範囲】
【請求項１】
画像データを記憶する記憶手段と、
前記記憶手段に記憶されている画像データを閲覧する閲覧手段と、
前記閲覧手段によって閲覧している画像データに挿入されている発信先情報に基づいて電話を発信する発信手段と
を具備することを特徴とする情報処理装置。
【請求項２】
前記発信手段による発信時に発信元を特定可能な発信者情報を受信側に通知する発信者情報通知手段を具備することを特徴とする請求項１記載の情報処理装置。
【請求項３】
前記発信者情報通知手段は、発信者情報として、発信元の電話番号を通知することを特徴とする請求項２記載の情報処理装置。
【請求項４】
前記発信先情報は、発信先の電話番号であることを特徴とする請求項１ないし３のいずれかに記載の情報処理装置。
【請求項５】
前記発信先情報は、発信先のメールアドレスであり、
前記発信手段は、前記メールアドレスに基づいて所定の情報が記述されたメールを送信することを特徴とする請求項１ないし３のいずれかに記載の情報処理装置。
【請求項６】
前記メールに受信側で発信元を特定可能な発信者情報を挿入する発信者情報挿入手段を具備することを特徴とする請求項５記載の情報処理装置。
【請求項７】
前記閲覧手段は、前記画像データに発信先情報が挿入されている場合にのみ、発信操作を行なうための操作選択肢を表示することを特徴とする請求項１ないし６のいずれかに記載の情報処理装置。
【請求項８】
画像データを記憶する記憶手段と、
前記記憶手段に記憶されている画像データを閲覧する閲覧手段と、
前記閲覧手段によって閲覧している画像データに発信先情報を挿入する発信先情報挿入手段と
を具備することを特徴とする情報処理装置。
【請求項９】
前記発信先情報挿入手段は、特定のキーデータによって発信先情報であることを認識せしめることを特徴とする請求項８記載の情報処理装置。
【請求項１０】
前記発信先情報挿入手段は、画像データに設けられたテキスト記述領域に発信先情報を挿入することを特徴とする請求項８または９記載の情報処理装置。
【請求項１１】
前記発信先情報は、発信先の電話番号であることを特徴とする請求項８ないし１０のいずれかに記載の情報処理装置。
【請求項１２】
前記発信先情報は、発信先のメールアドレスであり、
前記発信先情報挿入手段は、前記メールアドレスに加えて、画像データにメール本文フォームを挿入することを特徴とする請求項８ないし１０のいずれかに記載の情報処理装置。
【請求項１３】
自己の現在位置を示す位置情報を取得する位置情報取得手段を更に具備し、
前記発信先情報挿入手段は、前記閲覧手段によって閲覧している画像データに、前記位置情報取得手段により取得された位置情報に基づいて、現在位置の周辺にある建築物に対する連絡先情報を、発信先情報として挿入することを特徴とする請求項８記載の情報処理装置。
【請求項１４】
ネットワーク上の位置情報サーバにアクセスし、前記位置情報取得手段により取得された位置情報に基づいて、現在位置の周辺にある建築物に対する連絡先情報を取得する連絡先情報取得手段を更に具備することを特徴とする請求項１３記載の情報処理装置。
【請求項１５】
撮像手段を更に具備し、
前記記憶手段は、前記撮像手段により撮像された画像データを記憶することを特徴とする請求項１３または１４記載の情報処理装置。
【請求項１６】
閲覧している画像データに設けられているテキスト記述領域から、特定のキーデータによって認識可能に挿入されている発信先情報を抽出し、該発信先情報に基づいて電話を発信することを特徴とする発信方法。
【請求項１７】
発信する際に発信元を特定可能な発信者情報を受信側に通知することを特徴とする請求項１６記載の発信方法。
【請求項１８】
前記発信先情報は、電話番号であることを特徴とする請求項１６または１７記載の発信方法。
【請求項１９】
前記発信先情報は、発信先のメールアドレスであり、
前記メールアドレスに基づいて所定の情報が記述されたメールを送信することを特徴とする請求項１６または１７記載の発信方法。
【請求項２０】
前記メールに発信元を特定可能な発信者情報を挿入することを特徴とする請求項１９記載の発信方法。
【請求項２１】
画像データに設けられているテキスト記述領域に、特定のキーデータによって認識可能に発信先情報を挿入することを特徴とする画像処理方法。
【請求項２２】
前記発信先情報は、発信先の電話番号であることを特徴とする請求項２１記載の画像処理方法。
【請求項２３】
前記発信先情報は、発信先のメールアドレスであり、
前記メールアドレスに加えて、画像データにメール本文フォームを挿入することを特徴とする請求項２１記載の画像処理方法。
【請求項２４】
自己の現在位置を示す位置情報を取得し、前記画像データに、自己の現在位置を示す位置情報に基づいて、現在位置の周辺にある建築物に対する連絡先情報を、前記発信先情報として挿入することを特徴とする請求項２１記載の画像処理方法。
【請求項２５】
ネットワーク上の位置情報サーバにアクセスし、前記位置情報に基づいて、現在位置の周辺にある建築物に対する連絡先情報を取得することを特徴とする請求項２４記載の画像処理方法。
【請求項２６】
閲覧している画像データに設けられているテキスト記述領域から、特定のキーデータによって認識可能に挿入されている発信先情報を抽出するステップと、
前記発信先情報に基づいて電話を発信するステップと
をコンピュータに実行させることを特徴とする発信プログラム。
【請求項２７】
前記発信先情報が発信先のメールアドレスであった場合、前記メールアドレスに基づいて所定の情報が記述されたメールを送信するステップをコンピュータに実行させることを特徴とする請求項２６記載の発信プログラム。
【請求項２８】
画像データに設けられているテキスト記述領域に、特定のキーデータによって認識可能に発信先情報を挿入するステップをコンピュータに実行させることを特徴とする画像処理プログラム。
【請求項２９】
自己の現在位置を示す位置情報を取得するステップと、
前記画像データに、自己の現在位置を示す位置情報に基づいて、現在位置の周辺にある建築物に対する連絡先情報を、前記発信先情報として挿入するステップと
をコンピュータに実行させることを特徴とする請求項２７記載の画像処理プログラム。
【請求項３０】
ネットワーク上の位置情報サーバにアクセスするステップと、
前記位置情報に基づいて、現在位置の周辺にある建築物に対する連絡先情報を取得するステップと
をコンピュータに実行させることを特徴とする請求項２８記載の画像処理プログラム。
【発明の詳細な説明】
【０００１】
【発明の属する技術分野】
本発明は、画像データのテキストチャンクに発信先情報を挿入し、画像閲覧時に簡単な操作で画像データの配信元へ電話をかける情報処理装置、発信方法、画像処理方法、発信プログラム、画像処理プログラムに関する。
【０００２】
【従来の技術】
近年、例えば、インターネット上のショッピングにおいては、商品画像（写真）と注文フォームとをウェブページ上に用意し、商品画像を見て注文フォームに指定される情報を入力して注文を行なっていた（例えば、特許文献１参照）。また、その場で注文フォームに入力できないような場合には、同じくウェブページ上に掲載された電話番号に直接電話をかけて注文を行なったりしていた。このようなインターネット上のショッピングは、パーソナルコンピュータ以外にも、インターネットへ接続可能な携帯電話などでも行なうことができる。また、複数の商品画像を添付した宣伝メールをユーザに配信するサービスがある（例えば、特許文献２参照）。
【０００３】
【特許文献１】
特開２００２−１０９３１７号公報
【特許文献２】
特開２００２−１８３０２５号公報
【０００４】
【発明が解決しようとする課題】
ところで、従来のインターネット・ショッピングでは、商品画像と注文フォームとは全く別のものであり、それぞれのウェブサイトのページを記述するためのＨＴＭＬ形式のファイルが別途必要であった。このため、商品画像単独では宣言効果はなく、常にＨＴＭＬ形式のファイル等を商品画像と同時に取り扱う必要があった。
【０００５】
例えば、注文者であるユーザがウェブページに表示されている商品画像を保存しておいても、その商品を注文するにはどこに連絡すればよいかは、別途メモを取っておく必要がある。また、上述したように、複数の商品画像を添付した宣伝メールをユーザに配信するサービスを提供することが考えられるが、そのうちの１つを他のユーザに紹介しようと思っても、商品画像のみでは情報が不足し、全ての情報を転送すると、余分なデータが大量に付いてしまい、使い勝手が非常に悪かった。逆に、広告主にとっては、折角、注文用の電話番号を公開しても、発信者番号非通知でいたずら電話がかけられる場合もあり、本来の目的を遂げられないことがある。
【０００６】
ところで、近年、カメラを搭載した携帯電話があり、撮影した画像に撮影位置に関する情報を付加する機能が搭載されたものもある。この場合、個人で撮影した画像については、自分で撮影した画像をアルバムの形で整理し、後から見た場合、撮影場所の位置情報を付加することができるので、手掛かりはある。しかしながら、その撮影場所の建物（例えば、店舗など）などに連絡をとる場合には、撮影場所の位置情報から自分で地図や電話帳などを調べて連絡する必要があり、不便であった。
【０００７】
そこで本発明は、画像閲覧時に簡単な操作で画像データの配信元と通信することができ、配信元で発信者を容易に特定することができる情報処理装置、発信方法、画像処理方法、発信プログラム、画像処理プログラムを提供することを目的とする。
【０００８】
【課題を解決するための手段】
上記目的達成のため、請求項１記載の発明による情報処理装置は、画像データを記憶する記憶手段と、前記記憶手段に記憶されている画像データを閲覧する閲覧手段と、前記閲覧手段によって閲覧している画像データに挿入されている発信先情報に基づいて電話を発信する発信手段とを具備することを特徴とする。
【０００９】
また、好ましい態様として、例えば請求項２記載のように、請求項１記載の情報処理装置において、前記発信手段による発信時に発信元を特定可能な発信者情報を受信側に通知する発信者情報通知手段を具備するようにしてもよい。
【００１０】
また、好ましい態様として、例えば請求項３記載のように、請求項２記載の情報処理装置において、前記発信者情報通知手段は、発信者情報として、発信元の電話番号を通知するようにしてもよい。
【００１１】
また、好ましい態様として、例えば請求項４記載のように、請求項１ないし３のいずれかに記載の情報処理装置において、前記発信先情報は、発信先の電話番号であってもよい。
【００１２】
また、好ましい態様として、例えば請求項５記載のように、請求項１ないし３のいずれかに記載の情報処理装置において、前記発信先情報は、発信先のメールアドレスであり、前記発信手段は、前記メールアドレスに基づいて所定の情報が記述されたメールを送信するようにしてもよい。
【００１３】
また、好ましい態様として、例えば請求項６記載のように、請求項５記載の情報処理装置において、前記メールに受信側で発信元を特定可能な発信者情報を挿入する発信者情報挿入手段を具備するようにしてもよい。
【００１４】
また、好ましい態様として、例えば請求項７記載のように、請求項１ないし６のいずれかに記載の情報処理装置において、前記閲覧手段は、前記画像データに発信先情報が挿入されている場合にのみ、発信操作を行なうための操作選択肢を表示するようにしてもよい。
【００１５】
上記目的達成のため、請求項８記載の発明による情報処理装置は、画像データを記憶する記憶手段と、前記記憶手段に記憶されている画像データを閲覧する閲覧手段と、前記閲覧手段によって閲覧している画像データに発信先情報を挿入する発信先情報挿入手段とを具備することを特徴とする。
【００１６】
また、好ましい態様として、例えば請求項９記載のように、請求項８記載の情報処理装置において、前記発信先情報挿入手段は、特定のキーデータによって発信先情報であることを認識せしめるようにしてもよい。
【００１７】
また、好ましい態様として、例えば請求項１０記載のように、請求項８または９記載の情報処理装置において、前記発信先情報挿入手段は、画像データに設けられたテキスト記述領域に発信先情報を挿入するようにしてもよい。
【００１８】
また、好ましい態様として、例えば請求項１１記載のように、請求項８ないし１０のいずれかに記載の情報処理装置において、前記発信先情報は、発信先の電話番号であってもよい。
【００１９】
また、好ましい態様として、例えば請求項１２記載のように、請求項８ないし１０のいずれかに記載の情報処理装置において、前記発信先情報は、発信先のメールアドレスであり、前記発信先情報挿入手段は、前記メールアドレスに加えて、画像データにメール本文フォームを挿入するようにしてもよい。
【００２０】
また、好ましい態様として、例えば請求項１３記載のように、請求項８記載の情報処理装置において、自己の現在位置を示す位置情報を取得する位置情報取得手段を更に具備し、前記発信先情報挿入手段は、前記閲覧手段によって閲覧している画像データに、前記位置情報取得手段により取得された位置情報に基づいて、現在位置の周辺にある建築物に対する連絡先情報を、発信先情報として挿入するようにしてもよい。
【００２１】
また、好ましい態様として、例えば請求項１４記載のように、請求項１３記載の情報処理装置において、ネットワーク上の位置情報サーバにアクセスし、前記位置情報取得手段により取得された位置情報に基づいて、現在位置の周辺にある建築物に対する連絡先情報を取得する連絡先情報取得手段を更に具備するようにしてもよい。
【００２２】
また、好ましい態様として、例えば請求項１５記載のように、請求項１３または１４記載の情報処理装置において、撮像手段を更に具備し、前記記憶手段は、前記撮像手段により撮像された画像データを記憶するようにしてもよい。
【００２３】
上記目的達成のため、請求項１６記載の発明による発信方法は、閲覧している画像データに設けられているテキスト記述領域から、特定のキーデータによって認識可能に挿入されている発信先情報を抽出し、該発信先情報に基づいて電話を発信することを特徴とする。
【００２４】
また、好ましい態様として、例えば請求項１７記載のように、請求項１６記載の発信方法において、発信する際に発信元を特定可能な発信者情報を受信側に通知するようにしてもよい。
【００２５】
また、好ましい態様として、例えば請求項１８記載のように、請求項１６または１７記載の発信方法において、前記発信先情報は、電話番号であってもよい。
【００２６】
また、好ましい態様として、例えば請求項１９記載のように、請求項１６または１７記載の発信方法において、前記発信先情報は、発信先のメールアドレスであり、前記メールアドレスに基づいて所定の情報が記述されたメールを送信するようにしてもよい。
【００２７】
また、好ましい態様として、例えば請求項２０記載のように、請求項１９記載の発信方法において、前記メールに発信元を特定可能な発信者情報を挿入するようにしてもよい。
【００２８】
上記目的達成のため、請求項２１記載の発明による画像処理方法は、画像データに設けられているテキスト記述領域に、特定のキーデータによって認識可能に発信先情報を挿入することを特徴とする。
【００２９】
また、好ましい態様として、例えば請求項２２記載のように、請求項２１記載の画像処理方法において、前記発信先情報は、発信先の電話番号であってもよい。
【００３０】
また、好ましい態様として、例えば請求項２３記載のように、請求項２１記載の画像処理方法において、前記発信先情報は、発信先のメールアドレスであり、前記メールアドレスに加えて、画像データにメール本文フォームを挿入するようにしてもよい。
【００３１】
また、好ましい態様として、例えば請求項２４記載のように、請求項２１記載の画像処理方法において、自己の現在位置を示す位置情報を取得し、前記画像データに、自己の現在位置を示す位置情報に基づいて、現在位置の周辺にある建築物に対する連絡先情報を、前記発信先情報として挿入するようにしてもよい。
【００３２】
また、好ましい態様として、例えば請求項２５記載のように、請求項２４記載の画像処理方法において、ネットワーク上の位置情報サーバにアクセスし、前記位置情報に基づいて、現在位置の周辺にある建築物に対する連絡先情報を取得するようにしてもよい。
【００３３】
上記目的達成のため、請求項２６記載の発明による発信プログラムは、閲覧している画像データに設けられているテキスト記述領域から、特定のキーデータによって認識可能に挿入されている発信先情報を抽出するステップと、前記発信先情報に基づいて電話を発信するステップとをコンピュータに実行させることを特徴とする。
【００３４】
また、好ましい態様として、例えば請求項２７記載のように、請求項２６記載の発信プログラムにおいて、前記発信先情報が発信先のメールアドレスであった場合、前記メールアドレスに基づいて所定の情報が記述されたメールを送信するステップをコンピュータに実行させるようにしてもよい。
【００３５】
上記目的達成のため、請求項２８記載の発明による画像処理プログラムは、画像データに設けられているテキスト記述領域に、特定のキーデータによって認識可能に発信先情報を挿入するステップをコンピュータに実行させることを特徴とする。
【００３６】
また、好ましい態様として、例えば請求項２９記載のように、請求項２７記載の画像処理プログラムにおいて、自己の現在位置を示す位置情報を取得するステップと、前記画像データに、自己の現在位置を示す位置情報に基づいて、現在位置の周辺にある建築物に対する連絡先情報を、前記発信先情報として挿入するステップとをコンピュータに実行させるようにしてもよい。
【００３７】
また、好ましい態様として、例えば請求項３０記載のように、請求項２８記載の画像処理プログラムにおいて、ネットワーク上の位置情報サーバにアクセスするステップと、前記位置情報に基づいて、現在位置の周辺にある建築物に対する連絡先情報を取得するステップとをコンピュータに実行させるようにしてもよい。
【００３８】
【発明の実施の形態】
以下、本発明の実施の形態を、携帯電話に適用した一実施例として、図面を参照して説明する。
【００３９】
Ａ．第１実施形態
Ａ−１．第１実施形態の構成
図１は、本第１実施形態の運用システムの構成例を示す概念図である。代理店１は、複数の広告主２ａ，２ｂの各々から画像データＡ，Ｂを受け取り、それを携帯電話３ａのユーザ宛のメールに添付して送信する。画像データＡ，Ｂのテキストチャンクへの付加情報の組み込みは、広告主２ａ，２ｂが行なっても、代理店１が行なってもよい。メールを受信した携帯電話３ａのユーザは、画像データＡ，Ｂを閲覧して所定の操作を行なうことで、広告主２ａ，２ｂに自動的に電話をかけることができる。例えば、画像データＢを見て注文操作を行なった場合には、広告主２ｂに電話がかけられる。
【００４０】
このとき、広告主２ｂには、携帯電話３ａの発信者電話番号が通知されるので、発信者を特定することが可能となる。また、代理店１から送られてきたメールには、複数の画像データＡ，Ｂが添付されているが、最初に受信した携帯電話３ａのユーザが受信した画像データＡ，Ｂの中の１つを他のユーザの携帯電話３ｂに転送した場合でも、該他のユーザにおいても、その画像データＢを携帯電話３ｂで閲覧して自動的に電話をかけることが可能である。また、この場合においても、携帯電話３ｂの発信番号が通知されるので、広告主２ｂは、容易に別の顧客を獲得することができる。
【００４１】
図２は、本第１実施形態による携帯電話３ａ，３ｂの構成を示すブロック図である。図において、２０は送受信部であり、周波数変換部とモデムとから構成されている。アンテナＡＮＴ１を介して、図示しない基地局と無線通信をするために、電波の周波数変換および変復調を行なうものである。次に、通信制御部２１は、所定の通信方式（例えば、ＴＤＭＡ（時分割多元接続）、ＣＤＭＡ（符号分割多重接続）等）に基づいた通信制御を行なうものである。次に、音声処理部２２は、音声信号の符号化／復号化を行なうものであり、通信制御部２１からのＰＣＭ音声信号をＤ／Ａ変換によりアナログ音声信号へ変換し、スピーカ２３から発音させる一方、マイク２４から入力されたアナログ音声信号をＡ／Ｄ変換によりＰＣＭ信号に変換し、通信制御部２１へ送出する。
【００４２】
次に、制御部２５は、所定のプログラムに従って装置全体を制御する。具体的には、制御部２５は、受信した画像データ（ＨＴＭＬで記述されているウェブページ上の画像データや受信メールに添付されている画像データ）を閲覧するための閲覧アプリケーションを実行した際、画像データに付加されている付加情報を抽出し、該付加情報に従ってメニュー画面を制御したり、付加情報に従って発呼動作を制御したりする。
【００４３】
キー入力部２６は、相手先の電話番号や文字列を入力する数値キーや、オンフック／オフフックを行なうスイッチ、音声出力を変えるボリュームスイッチ等から構成される。ＲＯＭ２７には上記制御部２５で実行されるプログラムや、種々のパラメータ等が格納されている。また、ＲＡＭ２８は、住所録、スケジュールを格納する領域や、上記制御部２５の制御に伴って生成されるデータを格納する格納領域、ワーキングエリア等の領域などを備えている。
【００４４】
次に、表示部２９は、液晶表示器からなり、上記制御部２５の制御の下、動作モードや、電話番号、通話時間等の各種データ、閲覧中のウェブページ（文字データ、画像データなど）を表示する。電子メール処理部３０は、インターネット上のメールサーバへのアクセス、メールの送受信などを処理する。画像メモリ３１は、ウェブページ上の画像データや電子メールなどに添付されていた画像データなどを記憶する。
【００４５】
次に、上述した画像データに付加する付加情報について説明する。現在、携帯電話等で流通している画像フォーマットには、ＰＮＧ形式とＪＰＥＧ形式とがある。どちらを利用しても本件にかかわる考案は実施可能であるが、ここでは、ＰＮＧ形式の画像データを用いて詳細な説明を行なう。
【００４６】
図３は、ＰＮＧ画像のデータフォーマットを示す概念図である。ＰＮＧ画像は、いくつかの独立したチャンクと呼ばれるデータブロックからなる。チャンクには、ＰＮＧ画像であることを表すヘッダ、画像に関する情報が記述されたＩＨＤＲチャンク、テキストや透明色などを記述する補助チャンク、画像そのものであるＩＤＡＴチャンク、終了を表すＩＥＮＤチャンクがある。
【００４７】
チャンクには、図４に示すように、多数の種類が用意されており、このうち、テキストチャンクは、ファイル内の挿入位置が自由であり、内容もテキストコードであれば自由に構成することができる。これらのチャンクは、図５に示すような構造を有しており、データ長によって区切ることが可能なため、任意に複数のチャンクを書き並べて全体のデータを構成することができる。
【００４８】
図６は、テキストチャンクのデータ例を示す概念図である。テキストチャンクは、「キーワード」と「テキスト」の２つの要素を備えている。このうち、「キーワード」に独自のものを定義し、画像閲覧ソフトウェアは、このキーワードが付加されていると判断した場合、所定の動作を実行するようにする。
【００４９】
図７は、テキストチャンクを用いた具体的な例を示す概念図である。図７に示す例では、キーワードとして「ＯｒｄｅｒＴｅｌＮｏ」を用いている。また、その値として、連絡先電話番号をテキストデータで持つようにしている。さらに、必須ではないが、利便性のために、図７では、「ＳｈｏｐＮａｍｅ」というキーワードで店舗名を記述するようにしている。
【００５０】
画像閲覧ソフトウェアでは、図８（ａ）に示すように、画像データを表示する。そして、画像データを閲覧しているとき、もし画像データに上記キーワードが付加されていた場合、その画像データに対する何らかのアクションを起こすために機能キーが押下されると、機能メニューを開く際に、図８（ｂ）に示すように、メニューの中に「注文する」という選択肢を追加して表示する。
【００５１】
次に、図９は、上述した画像データのテキストチャンクに付加情報として、広告主側の連絡先である電話番号や店舗名などを付加するための情報処理装置の機能構成を示すブロック図である。情報処理装置３９は、制御部４０、表示部４１、キー入力部４２、画像記憶部４３およびチャンク加工処理部４４を備えており、パーソナルコンピュータや携帯電話などを用いることができる。制御部４０は、所定のプログラムに従って装置全体を制御する。表示部４１は、画像データなどを表示する。キー入力部４２は、制御部４０への動作指示や、文字データなどを入力する。画像記憶部４３は、画像データを記憶する。チャンク加工処理部４４は、画像データのテキストチャンクに、連絡先電話番号および店舗名を挿入するものである。
【００５２】
Ａ−２．第１実施形態の動作
次に、上述した第１実施形態の動作について説明する。まず、画像データへの付加情報の挿入動作について説明する。ここで、図１０は、画像データのテキストチャンクに付加情報を挿入する動作を説明するためのフローチャートである。
広告主において、パーソナルコンピュータなどの情報処理装置３９では、まず、チャンクの先頭にポイントを置く（ステップＳ１０）。次に、ポイントの位置がＩＨＤＲであるか否かを判断する（ステップＳ１２）。そして、ＩＨＤＲでなければ、次のチャンクへポイントを移動し（ステップＳ１４）、ファイルの末尾であるか否かを判断する（ステップＳ１６）。そして、ファイルの末尾でなければ、ステップＳ１２へ戻り、上述した処理を繰り返し、画像データ内のＩＨＤＲを検索する。そして、ＩＨＤＲが見つかると、その後にｔＥＸｔチャンクとして、付加情報である連絡先の電話番号と店舗名とを挿入する（ステップＳ１８）。以上の動作により、画像データのテキストチャンクに付加情報が挿入される。
【００５３】
次に、画像データを受信した場合の動作について説明する。ここで、図１１は、本第１実施形態において、付加情報が挿入された画像データを受信した携帯電話の動作を説明するためのフローチャートである。携帯電話３ａ，３ｂにおいて画像閲覧機能を起動させると、図１２（ａ）に示すように、画像データを表示し（ステップＳ３０）、その後、機能キーを含むキー操作待ち状態となる（ステップＳ３２）。次に、機能キーが押下されたか否かを判断する（ステップＳ３４）。そして、機能キーが押下されない場合には、別の処理へ進む。
【００５４】
一方、機能キーが押下されると、連絡先電話番号情報のあるなしに拘わらず表示される通常メニューを表示する（ステップＳ３６）。次に、チャンクの先頭にポイントを置く（ステップＳ３８）。次に、ポイントの位置がｔＥＸｔチャンクであるか否かを判断する（ステップＳ４０）。そして、ｔＥＸｔチャンクでなければ、次のチャンクへポイントを移動し（ステップＳ４２）、ファイルの末尾であるか否かを判断する（ステップＳ４４）。
【００５５】
そして、ファイルの末尾でなければ、ステップＳ４０へ戻り、上述した処理を繰り返し、画像データ内のｔＥＸｔチャンクを検索する。そして、ｔＥＸｔチャンクが見つかると、電話番号が挿入されているか否かを判断する（ステップＳ４６）。電話番号が挿入されていなければ、ステップＳ４２へ進み、上述したｔＥＸｔチャンクの検索を継続する。
【００５６】
一方、ｔＥＸｔチャンクに電話番号が記述されている場合には、図１２（ｂ）に示すように、操作メニューに「注文する」というメニュー項目を追加し（ステップＳ４８）、キー操作待ち状態となる（ステップＳ５０）。一方、テキストチャンクに電話番号情報が記述されていない場合には、メニューが追加されないために、図１２（ｄ）に示す画面となり、キー操作待ち状態となる（ステップＳ５０）。
【００５７】
次に、「注文する」という項目が選択されたか否かを判断する（ステップＳ５２）。そして、「注文する」以外の項目が選択された場合には、その項目に対する処理へ進む。一方、「注文する」という項目が選択され、実行キーが押下された場合には、画像データのｔＥＸｔチャンクから電話番号を抽出し（ステップＳ５４）、図１２（ｃ）に示すように付加情報を表示し、キー操作待ち状態となる（ステップＳ５６）。
【００５８】
次に、図１２（ｄ）に示す画面において、決定キーが押下された否かを判断する。そして、決定キーが押下されず、戻るキーが押下された場合には、図１２（ｂ）に示す画面に戻る。一方、決定キーが押下された場合には、強制的に発信者番号通知の状態にし（ステップＳ６０）、発呼動作を開始する（ステップＳ６２）。これによって、着信側である広告主では、発信者（注文者）の電話番号を確実に知ることが可能となる。
【００５９】
上述した第１実施形態によれば、画像データの中に連絡先の電話番号を記述するようにしたので、ユーザ側では、画像閲覧中に簡単な操作で注文電話をかけることができ、発呼時に自動的に発信者番号を通知することで、広告主側では、個人の特定ができる。また、画像データ１枚を転送することで、他のユーザも情報を利用することができるようになるため、広告効果が大きい。
【００６０】
Ｂ．第２実施形態
次に、本発明の第２実施形態について説明する。上述した第１実施形態では、ユーザの注文形態として電話による注文を想定していた。しかし、例えば、電車の中など電話をかけにくい状況においては、メールによる注文の方がしやすいこともある。しかし、画像からメールを作成する手段はこれまでなかった。第１実施形態の電話番号の記述を、メールの注文書式の記述に置き換え、さらに、その一部に自動的に発信者の電話番号を挿入するようにすれば、発信者を特定できる効果的な広告写真を配布できるようになる。第２実施形態は、それを実現するものである。なお、画像データが添付されたメールを受信する携帯電話の構成は、図１と同様であるので説明を省略する。
【００６１】
本第２実施形態では、テキストチャンクには、キーワードとして、「ＯｒｄｅｒＭａｉｌ」に注文先のメールアドレス、「ＯｒｄｅｒＦｏｒｍ」に注文するための注文フォームを格納しておく。この注文フォームの中には、発呼側ユーザの電話番号を挿入するための特殊コードである”［”＝０ｘ５Ｂと、”］”＝０ｘ５Ｄとが含まれており、双方に挟まれた箇所に発呼側ユーザの電話番号が自動的に挿入される。画像データのテキストチャンクの中に注文用のキーワードが含まれていた場合の動作は、第１実施形態と同様で、操作メニューに「メール」という項目が追加される。
【００６２】
次に、図１３は、本第２実施形態の運用システムの構成例を示す概念図である。代理店１は、複数の広告主２ａ，２ｂの各々から画像データＡ，Ｂを受け取り、それを携帯電話３ａのユーザ宛の広告メールに添付して送信する。画像データＡ，Ｂのテキストチャンクへの付加情報の組み込みは、広告主２ａ，２ｂが行なっても、代理店１が行なってもよい。メールを受信した携帯電話３ａのユーザは、画像データＡ，Ｂを閲覧して前述した操作を行なうことで、広告主２ａ，２ｂに自動的に注文メールを送信することができる。例えば、画像データＢを見て注文操作を行なった場合には、広告主２ｂに注文メールが送信される。
【００６３】
このとき、広告主２ｂには、携帯電話３ａの発信者電話番号が通知されるので、発信者を特定することが可能となり、記載された電話番号に確認の電話をかけることができる。また、代理店１から送られてきた広告メールには、複数の画像データＡ，Ｂが添付されているが、最初に受信した携帯電話３ａのユーザが受信した画像データＡ，Ｂの中の１つを他のユーザの携帯電話３ｂに転送した場合でも、該他のユーザにおいても、その画像データＢを携帯電話３ｂで閲覧して自動的に注文メールを送信することが可能である。また、この場合においても、携帯電話３ｂの発信番号が通知されるので、広告主２ｂは、容易に別の顧客を獲得することができる。
【００６４】
Ｂ−１．第２実施形態の動作
次に、上述した第２実施形態の動作について説明する。なお、画像データへの付加情報の挿入動作については、第１実施形態と同様であるので説明を省略する。図１４は、本第２実施形態において、付加情報が挿入された画像データを受信した携帯電話の動作を説明するためのフローチャートである。
【００６５】
携帯電話において画像閲覧機能を起動させると、図１５（ａ）に示すように、画像データを表示し（ステップＳ７０）、その後、機能キーを含むキー操作待ち状態となる（ステップＳ７２）。次に、機能キーが押下されたか否かを判断する（ステップＳ７４）。そして、機能キーが押下されない場合には、別の処理へ進む。
【００６６】
一方、機能キーが押下されると、メール情報のあるなしに拘わらず表示される通常メニューを表示する（ステップＳ７６）。次に、チャンクの先頭にポイントを置く（ステップＳ７８）。次に、ポイントの位置がｔＥＸｔチャンクであるか否かを判断する（ステップＳ８０）。そして、ｔＥＸｔチャンクでなければ、次のチャンクへポイントを移動し（ステップＳ８２）、ファイルの末尾であるか否かを判断する（ステップＳ８４）。
【００６７】
そして、ファイルの末尾でなければ、ステップＳ８０へ戻り、上述した処理を繰り返し、画像データ内のｔＥＸｔチャンクを検索する。そして、ｔＥＸｔチャンクが見つかると、メール情報（相手のメールアドレス）が挿入されているか否かを判断する（ステップＳ８６）。メール情報が挿入されていなければ、ステップＳ８２へ進み、上述したｔＥＸｔチャンクの検索を継続する。
【００６８】
一方、ｔＥＸｔチャンクにメール情報が記述されている場合には、図１５（ｂ）に示すように、操作メニューに「メール」というメニュー項目を追加し（ステップＳ８８）、キー操作待ち状態となる（ステップＳ９０）。一方、テキストチャンクにメール情報が記述されていない場合には、メニューが追加されずに、キー操作待ち状態となる（ステップＳ９０）。
【００６９】
次に、「メール」という項目が選択されたか否かを判断する（ステップＳ９２）。そして、「メール」以外の項目が選択された場合には、その項目に対する処理へ進む。一方、「メール」という項目が選択され、実行キーが押下された場合には、画像データのｔＥＸｔチャンクから送信先のメールアドレスを抽出し（ステップＳ９４）、メールの送信先アドレスに設定する（ステップＳ９６）。次に、注文フォームの本文を抽出し（ステップＳ９８）、特殊コードである”［”＝０ｘ５Ｂと、”］”＝０ｘ５Ｄと間に、ユーザの携帯電話の電話番号を挿入し（ステップＳ１００）、図１５（ｃ）に示すように付加情報を表示し、電子メール機能のアドレス・本文設定済みの状態となる（ステップＳ１０２）。
【００７０】
次に、図１５（ｃ）に示す画面において、決定キーが押下された否かを判断し、決定キーが押下された場合には、通常のメール処理へ移行し、図１５（ｃ）に示す内容をメールにて広告主へ送信する。広告主では、該メールを受信することで、発信者（注文者）の電話番号を確実に知ることが可能となる。
【００７１】
上述した第２実施形態では、画像データの中にメールの送付先と注文メールの原文を挿入し、原文の中の特定コード位置に注文者の電話番号を自動的に挿入するようにしたため、通話の行ないにくい状況であっても、ユーザは、手軽にメールで注文操作を行なうことができ、広告主もユーザを容易に特定することができる。
【００７２】
Ｃ．第２実施形態の変形例
前述した第２実施形態では、顧客である発信者の個人を特定するデータとして、電話番号を注文メールに記載することとしたが、情報機器内に保存された他のデータを記述してもよく、例えば、１回目の注文に対して、広告主側から顧客の携帯電話に対して顧客管理番号を返信し、２回目以降の注文においては、顧客の携帯電話からの注文メールに上記顧客管理番号を挿入するようにしてもよい。
【００７３】
Ｃ．第３実施形態
次に、本発明の第３実施形態について説明する。上述した第１、第２実施形態では、取り扱う画像データは、広告主または代理店が作成するものであり、ユーザが作成するものではない。しかし、自分の見たものを画像として残し、そこに情報を付加して利用する状況はしばしばあるものと思われる。例えば、出張に行って宿泊施設が満足するものであった場合、再度、そこを利用したいと思った場合、そこで撮影した画像データに何らかの連絡手段が組み込まれていれば便利である。本第３実施形態は、そのような目的のために考案されたものであり、第１実施形態と組み合わされて効力を発揮する。
【００７４】
Ｃ−１．第３実施形態の構成
図１６は、本第３実施形態のシステム運用例の構成を示す概念図である。携帯電話３は、ＧＰＳ（Ｇｌｏｂａｌ  Ｐｏｓｉｔｉｏｎｉｎｇ  Ｓｙｓｔｅｍ）衛星５０からの情報と、基地局５１の機能とを用いて、自己の位置を測定する。また、携帯電話３は、ネットワーク機能を持っており、それを用いて測定した位置に関連する情報を、位置情報サーバ５２に接続して検索する。位置情報サーバ５２は、電話番号データベース５３を備えており、携帯電話３からの位置情報に基づいて、電話番号データベース５３を検索し、位置情報で示される位置に近い建物と、その電話番号とを引き出し、携帯電話３に送信する。携帯電話３は、位置情報サーバ５２から受信した情報に従って、撮影した画像データのテキストチャンクに受信した情報を付加することで、閲覧状態から電話をかけることのできる画像データを作成する。
【００７５】
次に、図１７（ａ）、（ｂ）は、本第３実施形態において適用される携帯電話の外観図であり、上述の第１実施形態と同じ機能を有する構成については同一の符号を付し、説明を省略するが、本第３実施形態では、携帯電話に撮像部を加えていることを特徴としている。
【００７６】
本実施形態における携帯電話は、蓋部と本体部からなる二つ折り構造であって、図１７（ａ）は、開状態、正面図を示すものである。同図において、アンテナＡＮＴ１は、蓋部の背面に設けられ、伸縮自在となっている。アンテナＡＴＮ１は、蓋部の背面に設けられており、伸縮自在となっている。スピーカ２３は、蓋部の前面側に設けられており、音声出力を行なう。表示部（メイン表示部）２９は、カラー液晶であり、１２０ドット（幅）×１６０ドット（高さ）である。また、キー入力部２６は、本体部の前面に設けられており、マイク２４は、本体部の下部に設けられている。一方、図１７（ｂ）は、開状態、背面図を示すものであり、撮像レンズ６０は、蓋部２の背面に設けられている。
【００７７】
次に、図１８は、本第３実施形態による携帯電話の構成を示すブロック図である。なお、図１に対応する部分には同一の符号を付けて説明を省略する。図において、撮像モジュール６１は、ＣＣＤ、若しくはＣＭＯＳで構成され、撮像レンズを介して被写体のカラー画像を取り込む。ＤＳＰ６２は、撮像モジュール６１に取り込まれた画像を符号化処理する。画像メモリ２９は、ＤＳＰ６２により符号化処理され、制御部２５により圧縮符号化された画像をデータ化（ファイル化）して格納する。
【００７８】
ＧＰＳ制御部６３は、米国国防省が打ち上げた測地衛星（ＮＡＶＳＴＡＲ：現在は２４個が地球を周回している）のうち、少なくとも４個程度（それ以下でもよいが精度が低下する）の測地衛星から発信する電波（１．２２７６０Ｇ／１．５７５４２ＧＨｚ）をＧＰＳアンテナにより受信し、電波の位相（受信タイミングの違い）を計算し、受信者と人工衛星の間で三角測量を行なうことで現在位置の緯度・経度（・高度）情報からなる位置情報を取得する。
【００７９】
制御部２５は、ＧＰＳ制御部６３により取得された位置情報を位置情報サーバ５２に送信し、該位置情報サーバ５２から送信されてくる、位置情報で示される位置に近い建物の名称と、その電話番号とを受信し、チャンク加工処理部６４へ供給する。チャンク加工処理部６４は、撮影モジュール６１により撮影され、ＤＳＰ６２により符号化処理された画像データのテキストチャンクに上記建物の名称とその電話番号とを挿入するようになっている。本第３実施形態では、図１９に示すように、テキストチャンクには、キーワードとして、「ＯｒｄｅｒＴｅｌＮｏ」に建物の電話番号、「ＳｈｏｐＮａｍｅ」に建物の名称を格納しておく。
【００８０】
Ｃ−２．第３実施形態の動作
次に、本第３実施形態の動作について説明する。ここで、図２０は、本第３実施形態において、位置情報を元に画像データに電話番号を付加する携帯電話の動作を説明するためのフローチャートである。
【００８１】
携帯電話３において画像閲覧機能を起動させると、図２１（ａ）に示すように、画像データを表示し（ステップＳ１２０）、その後、機能キーを含むキー操作待ち状態となる（ステップＳ１２２）。次に、機能キーが押下されたか否かを判断する（ステップＳ１２４）。そして、機能キーが押下されない場合には、別の処理へ進む。
【００８２】
一方、機能キーが押下されると、図２１（ｂ）に示すように、通常メニューを表示し（ステップＳ１２６）、キー操作待ち状態となる。「注文する」以外の項目が選択された場合には、その項目に対する処理へ進む。一方、「番号登録」という項目が選択され、決定キーが押下された場合には、ＧＰＳ制御部６３および基地局５１による複数回の位置測定を行ない、自己の位置情報を取得する（ステップＳ１３０）。次に、位置情報サーバ５２に接続し、上記位置情報を送信する（ステップＳ１３２）。位置情報サーバ５２では、位置情報に従って、電話番号データベース５３を検索し、位置情報で示される位置に近い建物と、その電話番号とを引き出し、携帯電話３に送信する。
【００８３】
実際には、測定される位置には誤差が含まれており、建物を特定できるケースは稀である。そこで、誤差範囲にある建物は全てリストアップし、かつ測定された距離が近い順に表示することで、操作性と実用性とを向上させている。携帯電話３では、上記位置情報サーバ５２から位置情報で示される位置に近い建物と、その電話番号とを取得し（ステップＳ１３４）、複数候補あるか否かを判断する（ステップＳ１３６）。そして、複数の候補がない場合には、受信した電話番号と建物名とをｔＥＸｔチャンクに挿入する（ステップＳ１４２）。
【００８４】
一方、複数の候補がある場合には、図２１（ｃ）に示すように、誤差範囲内で距離が近い順に候補を表示する（ステップＳ１３８）。そして、複数の候補の中から目的の建物が選択され、決定キーが押下された場合には、その電話番号と建物名とをｔＥＸｔチャンクに挿入する（ステップＳ１４２）。これによって、ユーザは、携帯電話３で撮影した画像データにその撮影場所に関連する建物の名称と電話番号とを挿入することができ、後で、閲覧状態からその場所に連絡しようとした場合、前述した第１実施形態と同様の操作により、画像データから直接電話をかけることが可能となる。
【００８５】
なお、本第３実施形態においては、画像データのテキストチャンクに電話番号を挿入する例について説明したが、これに限らず、その建物に関連する企業の連絡用メールアドレスやインターネット上のホームページのアドレスなどであっても、これらの情報を組み合わせて挿入するようにしてもよい。複数の連絡先情報（例えば、電話番号と連絡用メールアドレス、電話番号とホームページのアドレス）を挿入した場合には、どの情報を用いて連絡を取るかをメニューから選択可能としてもよい。
【００８６】
なお、上述した第１ないし第３実施形態では、ＰＮＧ形式の画像データのテキストチャンクを用いたが、例えば、ＪＰＥＧ形式の画像データにおいては、コメントタグを用いることで同様の効果を得ることができる。また、携帯電話を例に説明したが、Ｌモード電話などの有線電話に適用することも可能である。さらに、電話をかける機能を持つ携帯コンピュータに搭載することも可能である。
【００８７】
【発明の効果】
請求項１記載の発明によれば、記憶手段に記憶されている画像データを、前記閲覧手段によって閲覧している際、発信手段によって画像データに挿入されている発信先情報に基づいて電話を発信するようにしたので、できるという利点が得られる。
【００８８】
また、請求項２記載の発明によれば、発信者情報通知手段により、前記発信手段による発信時に発信元を特定可能な発信者情報を受信側に通知するようにしたので、画像閲覧時に簡単な操作で画像データの配信元と通信することができるという利点が得られる。
【００８９】
また、請求項３記載の発明によれば、前記発信者情報通知手段により、発信者情報として、発信元の電話番号を通知するようにしたので、画像閲覧時に簡単な操作で画像データの配信元と通信することができ、配信元で発信者を容易に特定することができるという利点が得られる。
【００９０】
また、請求項４記載の発明によれば、前記発信先情報を発信先の電話番号としたので、画像閲覧時に簡単な操作で画像データの配信元と通信することができるという利点が得られる。
【００９１】
また、請求項５記載の発明によれば、前記発信先情報を発信先のメールアドレスとし、前記発信手段により、前記メールアドレスに基づいて所定の情報が記述されたメールを送信するようにしたので、画像閲覧時に簡単な操作で画像データの配信元へメールを送信することができるという利点が得られる。
【００９２】
また、請求項６記載の発明によれば、発信者情報挿入手段により、前記メールに受信側で発信元を特定可能な発信者情報を挿入するようにしたので、画像閲覧時に簡単な操作で画像データの配信元へメールを送信することができ、配信元で発信者を容易に特定することができるという利点が得られる。
【００９３】
また、請求項７記載の発明によれば、前記閲覧手段により、前記画像データに発信先情報が挿入されている場合にのみ、発信操作を行なうための操作選択肢を表示するようにしたので、画像閲覧時に簡単な操作で画像データの配信元と通信することができるという利点が得られる。
【００９４】
また、請求項８記載の発明によれば、記憶手段に記憶されている画像データを閲覧手段によって閲覧している際、発信先情報挿入手段により、画像データに発信先情報を挿入するようにしたので、画像閲覧時に簡単な操作で画像データの配信元と通信することができるという利点が得られる。
【００９５】
また、請求項９記載の発明によれば、前記発信先情報挿入手段により、特定のキーデータによって発信先情報であることを認識せしめるようにしたので、発信先情報を容易に抽出することができ、画像閲覧時に簡単な操作で画像データの配信元と通信することができるという利点が得られる。
【００９６】
また、請求項１０記載の発明によれば、前記発信先情報挿入手段により、画像データに設けられたテキスト記述領域に発信先情報を挿入するようにしたので、画像データ自体に何ら変更を加えることなく、また、画像データのみを送受信するだけで、画像閲覧時に簡単な操作で画像データの配信元と通信することができるという利点が得られる。
【００９７】
また、請求項１１記載の発明によれば、前記発信先情報を発信先の電話番号としたので、画像閲覧時に簡単な操作で画像データの配信元と通信することができるという利点が得られる。
【００９８】
また、請求項１２記載の発明によれば、前記発信先情報を発信先のメールアドレスとし、前記発信先情報挿入手段により、前記メールアドレスに加えて、画像データにメール本文フォームを挿入するようにしたので、画像閲覧時に簡単な操作で画像データの配信元へメールを送信することができるという利点が得られる。
【００９９】
また、請求項１３記載の発明によれば、発信先情報挿入手段により、前記閲覧手段によって閲覧している画像データに、位置情報取得手段により取得された位置情報に基づいて、現在位置の周辺にある建築物に対する連絡先情報を、発信先情報として挿入するようにしたので、画像データ中の建築物の連絡先を画像データ自体に容易に挿入することでき、画像閲覧時に簡単な操作で画像データの配信元と通信することができるという利点が得られる。
【０１００】
また、請求項１４記載の発明によれば、連絡先情報取得手段により、ネットワーク上の位置情報サーバにアクセスし、前記位置情報取得手段により取得された位置情報に基づいて、現在位置の周辺にある建築物に対する連絡先情報を取得するようにしたので、画像データ中の建築物の連絡先情報を容易に取得することができ、画像閲覧時に簡単な操作で画像データの配信元と通信することができるという利点が得られる。
【０１０１】
また、請求項１５記載の発明によれば、撮像手段を更に具備し、前記記憶手段は、前記撮像手段により撮像された画像データを記憶するようにしたので、撮影した場所で、画像データ中の建築物の連絡先を画像データ自体に容易に挿入することでき、画像閲覧時に簡単な操作で画像データに関連する建築物の連絡先と通信することができるという利点が得られる。
【０１０２】
また、請求項１６記載の発明によれば、閲覧している画像データに設けられているテキスト記述領域から、特定のキーデータによって認識可能に挿入されている発信先情報を抽出し、該発信先情報に基づいて電話を発信するようにしたので、発信先情報を容易に抽出することができ、画像閲覧時に簡単な操作で画像データに関連する建築物の連絡先と通信することができるという利点が得られる。
【０１０３】
また、請求項１７記載の発明によれば、発信する際に発信元を特定可能な発信者情報を受信側に通知するようにしたので、配信元で発信者を容易に特定することができるという利点が得られる。
【０１０４】
また、請求項１８記載の発明によれば、前記発信先情報を電話番号としたので、画像閲覧時に簡単な操作で画像データに関連する建築物の連絡先と通信することができるという利点が得られる。
【０１０５】
また、請求項１９記載の発明によれば、前記発信先情報を、発信先のメールアドレスとし、前記メールアドレスに基づいて所定の情報が記述されたメールを送信するようにしたので、画像閲覧時に簡単な操作で画像データの配信元へメールを送信することができるという利点が得られる。
【０１０６】
また、請求項２０記載の発明によれば、前記メールに発信元を特定可能な発信者情報を挿入するようにしたので、配信元で発信者を容易に特定することができるという利点が得られる。
【０１０７】
また、請求項２１記載の発明によれば、画像データに設けられているテキスト記述領域に、特定のキーデータによって認識可能に発信先情報を挿入するようにしたので、発信先情報を容易に抽出することができ、画像閲覧時に簡単な操作で画像データの配信元と通信することができるという利点が得られる。
【０１０８】
また、請求項２２記載の発明によれば、前記発信先情報を発信先の電話番号としたので、配信元で発信者を容易に特定することができるという利点が得られる。
【０１０９】
また、請求項２３記載の発明によれば、前記発信先情報を発信先のメールアドレスとし、前記メールアドレスに加えて、画像データにメール本文フォームを挿入するようにしたので、画像閲覧時に簡単な操作で画像データの配信元へメールを送信することができるという利点が得られる。
【０１１０】
また、請求項２４記載の発明によれば、自己の現在位置を示す位置情報を取得し、前記画像データに、自己の現在位置を示す位置情報に基づいて、現在位置の周辺にある建築物に対する連絡先情報を、前記発信先情報として挿入するようにしたので、画像データ中の建築物の連絡先を画像データ自体に容易に挿入することでき、画像閲覧時に簡単な操作で画像データの配信元と通信することができるという利点が得られる。
【０１１１】
また、請求項２５記載の発明によれば、ネットワーク上の位置情報サーバにアクセスし、前記位置情報に基づいて、現在位置の周辺にある建築物に対する連絡先情報を取得するようにしたので、画像データ中の建築物の連絡先情報を容易に取得することができ、画像閲覧時に簡単な操作で画像データの配信元と通信することができるという利点が得られる。
【０１１２】
また、請求項２６記載の発明によれば、閲覧している画像データに設けられているテキスト記述領域から、特定のキーデータによって認識可能に挿入されている発信先情報を抽出するステップと、前記発信先情報に基づいて電話を発信するステップとをコンピュータに実行させるようにしたので、発信先情報を容易に抽出することができ、画像閲覧時に簡単な操作で画像データの配信元と通信することができるという利点が得られる。
【０１１３】
また、請求項２７記載の発明によれば、前記発信先情報が発信先のメールアドレスであった場合、前記メールアドレスに基づいて所定の情報が記述されたメールを送信するステップをコンピュータに実行させるようにしたので、画像閲覧時に簡単な操作で画像データの配信元へメールを送信することができるという利点が得られる。
【０１１４】
また、請求項２８記載の発明によれば、画像データに設けられているテキスト記述領域に、特定のキーデータによって認識可能に発信先情報を挿入するステップをコンピュータに実行させるようにしたので、発信先情報を容易に抽出することができ、画像閲覧時に簡単な操作で画像データの配信元と通信することができるという利点が得られる。
【０１１５】
また、請求項２９記載の発明によれば、自己の現在位置を示す位置情報を取得するステップと、前記画像データに、自己の現在位置を示す位置情報に基づいて、現在位置の周辺にある建築物に対する連絡先情報を、前記発信先情報として挿入するステップとをコンピュータに実行させるようにしたので、画像データ中の建築物の連絡先を画像データ自体に容易に挿入することでき、画像閲覧時に簡単な操作で画像データの配信元と通信することができるという利点が得られる。
【０１１６】
また、請求項３０記載の発明によれば、ネットワーク上の位置情報サーバにアクセスするステップと、前記位置情報に基づいて、現在位置の周辺にある建築物に対する連絡先情報を取得するステップとをコンピュータに実行させるようにしたので、画像データ中の建築物の連絡先情報を容易に取得することができ、画像閲覧時に簡単な操作で画像データの配信元と通信することができるという利点が得られる。
【図面の簡単な説明】
【図１】本第１実施形態の運用システムの構成例を示す概念図である。
【図２】本第１実施形態による携帯電話３ａ，３ｂの構成を示すブロック図である。
【図３】ＰＮＧ画像のデータフォーマットを示す概念図である。
【図４】チャンクの種類を示す概念図である。
【図５】チャンクの構造を示す概念図である。
【図６】テキストチャンクのデータ例を示す概念図である。
【図７】テキストチャンクを用いた具体的な例を示す概念図である。
【図８】本第１実施形態による携帯電話の表示画面を示す模式図である。
【図９】上述した画像データのテキストチャンクに付加情報を付加するための情報処理装置の機能構成を示すブロック図である。
【図１０】画像データのテキストチャンクに付加情報を挿入する動作を説明するためのフローチャートである。
【図１１】本第１実施形態において、付加情報が挿入された画像データを受信した携帯電話の動作を説明するためのフローチャートである。
【図１２】本第１実施形態による携帯電話の表示画面遷移を示す模式図である。
【図１３】本第２実施形態の運用システムの構成例を示す概念図である。
【図１４】本第２実施形態において、付加情報が挿入された画像データを受信した携帯電話の動作を説明するためのフローチャートである。
【図１５】本第２実施形態による携帯電話の表示画面遷移を示す模式図である。
【図１６】本第３実施形態のシステム運用例の構成を示す概念図である。
【図１７】本第３実施形態において適用される携帯電話の外観図である。
【図１８】本第３実施形態による携帯電話の構成を示すブロック図である。
【図１９】本第３実施形態によるテキストチャンクに挿入する付加情報の構成を示す概念図である。
【図２０】本第３実施形態において、画像データに付加する携帯電話の動作を説明するためのフローチャートである。
【図２１】本第３実施形態による携帯電話の表示画面遷移を示す模式図である。
【符号の説明】
１  代理業者
２ａ，２ｂ  広告主（送信先、配信元）
３，３ａ，３ｂ  携帯電話
２０  送受信部
２１  通信制御部（発信手段、発信者情報通知手段）
２２  音声処理部
２３  スピーカ
２４  マイク
２５  制御部（連絡先情報取得手段）
２６  キー入力部
２７  ＲＯＭ
２８  ＲＡＭ
２９  表示部
３０  電子メール処理部（閲覧手段、発信者情報挿入手段）
３１  画像メモリ（記憶手段）
３９  情報処理装置
４０  制御部
４１  表示部
４２  キー入力部
４３  画像記憶部
４４  チャンク加工部（発信先情報挿入手段）
５０  ＧＰＳ衛星
５１  基地局情報
５２  位置情報サーバ（サーバ）
５３  電話番号データベース
６０  撮像レンズ（撮像手段）
６１  撮像モジュール（撮像手段）
６２  ＤＳＰ（撮像手段）
６３  ＧＰＳ制御部（位置情報取得手段）
６４  チャンク加工処理部（発信先情報挿入手段）
【図１】
2004178485.tif 000003
【図２】
2004178485.tif 000004
【図３】
2004178485.tif 000005
【図４】
2004178485.tif 000006
【図５】
2004178485.tif 000007
【図６】
2004178485.tif 000008
【図７】
2004178485.tif 000009
【図８】
2004178485.tif 000010
【図９】
2004178485.tif 000011
【図１０】
2004178485.tif 000012
【図１１】
2004178485.tif 000013
【図１２】
2004178485.tif 000014
【図１３】
2004178485.tif 000015
【図１４】
2004178485.tif 000016
【図１５】
2004178485.tif 000017
【図１６】
2004178485.tif 000018
【図１７】
2004178485.tif 000019
【図１８】
2004178485.tif 000020
【図１９】
2004178485.tif 000021
【図２０】
2004178485.tif 000022
【図２１】
2004178485.tif 000023